(57)【要約】      （修正有）【課題】到来するパケット化されたデータ呼にいつ応答するかを決定する。【解決手段】通信装置ＭＴ２は、端末装置のレディステートを示す制御信号または制御情報の検出に応答して基地局から到来するパケット化されたデータ呼に応答する（５３０）。端末装置レディステートインジケータは、ハイステートデータ送信レディ信号または加入者に到来する呼を警告するためにリンクインジケータ信号がアクティブになった後データ送信レディ信号のロウステートからハイステートへの遷移のような制御信号を含む。レディステートインジケータはまた端末装置から発生されたデータストリームに埋め込まれた、ポイントツーポイントプロトコルパケット化データインジケータフラッグのような制御情報、あるいはポイントツーポイントプロトコルパケットが端末装置により送信されたことを示す他の情報を含む。【選択図】図５
2011055528.tif 000002
【特許請求の範囲】
【請求項１】
下記手段を具備する、無線通信ネットワークにおいて到来するパケット化されたデータ呼にいつ応答するかを決定するためのシステム：
前記無線通信ネットワークとインタフェースするための通信装置；および
前記通信装置に接続され、パケット化されたデータを送信および受信する端末装置、
前記通信装置は前記端末装置により発生されたレディステートインジケータを検出することに応答して前記到来するパケット化されたデータコールに応答する。
【請求項２】
前記レディステートインジケータはハイステートデータ送信レディ信号を含む、請求項１のシステム。
【請求項３】
前記レディステートインジケータは、加入者に前記到来するパケット化されたデータ呼を警告するために前記通信装置上のリングインジケータ信号がアクティブになった後でデータ送信レディ信号のロウステートからハイステートへの遷移を含む、請求項２のシステム。
【請求項４】
前記レディステートインジケータは前記端末装置から発生されたデータストリームに、ポイントツーポイントプロトコルパケット化データの送信を示す情報を含む、請求項３のシステム。
【請求項５】
下記工程を具備する、無線通信ネットワークにおいて到来するパケット化されたデータ呼にいつ応答するかを決定するための方法：
通信装置を前記無線通信ネットワークにインタフェースする；
端末装置を前記通信装置に接続する、前記端末装置はパケット化されたデータを送信および受信することができる；
前記通信装置によって、前記端末装置により発生されたレディステートインジケータを検出する；および
前記通信装置によって、前記レディステートインジケータの検出に応答して前記到来するパケット化されたデータ呼に応答する。
【請求項６】
前記レディステートインジケータはハイステートデータ送信レディ信号を含む、請求項５の方法。
【請求項７】
前記レディステートインジケータは、加入者に前記到来するパケット化されたデータ呼を警告するために前記通信装置上のリングインジケータ信号がアクティブになった後でデータ送信レディ信号のロウステートからハイステートへの遷移を含む、請求項６の方法。
【請求項８】
前記レディステートインジケータは前記端末装置から発生されたデータストリームに、ポイントツーポイントプロトコルパケット化データの送信を示す情報を含む、請求項７の方法。
【請求項９】
下記手段を具備する、無線通信ネットワークにおいてパケット化されたデータ呼にいつ応答するかを決定することのできる無線通信装置：
前記無線通信ネットワークとインタフェースする手段；
端末装置に接続される手段、前記端末装置はパケット化されたデータを送信および受信することができる；
前記端末装置によって発生されたレディステートインジケータを検出する手段；および
前記レディステートインジケータの検出に応答して前記到来するパケット化されたデータ呼に応答する手段。
【請求項１０】
前記レディステートインジケータはハイステートデータ送信レディ信号を含む、請求項９の通信装置。
【請求項１１】
前記レディステートインジケータは、加入者に前記到来するパケット化されたデータ呼を警告するために前記通信装置上のリングインジケータ信号がアクティブになった後でデータ送信レディ信号のロウステートからハイステートへの遷移を含む、請求項１０の通信装置。
【請求項１２】
前記レディステートインジケータは前記端末装置から発生されたデータストリームに、ポイントツーポイントプロトコルパケット化データの送信を示す情報を含む、請求項１１の通信装置。
【請求項１３】
下記プロセスを実行するためのプロセッサにより実行可能な複数の命令により符号化された機械読み出し可能な媒体：
通信装置を無線通信ネットワークとインタフェース可能にする；
前記無線装置を端末装置と通信可能にする、前記端末装置はパケット化されたデータを送信および受信可能である；
前記通信装置により、前記端末装置により発生されたレディステートインジケータを検出する；および
前記通信装置により、前記レディステートインジケータの前記検出に応答して到来するパケット化されたデータ呼に応答する。
【請求項１４】
前記レディステートインジケータはハイステートデータ送信レディ信号を含む、請求項１３の機械読み出し可能な媒体。
【請求項１５】
前記レディステートインジケータは、加入者に前記到来するパケット化されたデータ呼を警告するために前記通信装置上のリングインジケータ信号がアクティブになった後でデータ送信レディ信号のロウステートからハイステートへの遷移を含む、請求項１４の機械読み出し可能な媒体。
【請求項１６】
前記レディステートインジケータは前記端末装置から発生されたデータストリームに、ポイントツーポイントプロトコルパケット化データの送信を示す情報を含む、請求項１４の機械読み出し可能な媒体。
【発明の詳細な説明】
【技術分野】
【０００１】
この発明は一般に無線通信の分野に関する。特に、この発明は無線通信ネットワークにおいて到来するパケットデータ呼にいつ応答するかを自動的に決定するための新規で改良された方法およびシステムに関する。
【背景技術】
【０００２】
無線通信およびコンピュータ関連技術の最近の革新並びに空前のインターネット加入者の成長はモバイルコンピューティングの道を敷いた。事実モバイルコンピューティングの人気はより多くのサポートをモバイルユーザに提供することを現在の通信インフラストラクチャに課した。これらの需要に合致し、ユーザに必要なサポートを与える決定的な部分は、無線通信システムにおける符号分割多元接続（ＣＤＭＡ）技術の使用である。
【０００３】
ＣＤＭＡは、参照することによりこの明細書に取り込まれる、１９９３年７月に発行された「デュアルモード広域拡散スペクトルセルラシステムのための移動局−基地局互換性規格」というタイトルの電気通信産業協会／電子産業協会の暫定規格―９５（ＴＩＡ／ＥＩＡ  ＩＳ−９５）に定義されるデジタル無線周波数（ＲＦ）チャネライゼーション技術である。この技術を使用する無線通信システムはユニークなコードを通信信号に割当て、共通の広域スペクトル拡散帯域においてこれらの通信信号を拡散する。ＣＤＭＡシステムにおける受信装置が正しいコードを有する限り、同じ帯域に対して同時に送信された他の信号からその通信信号を首尾よく検出し選択することができる。ＣＤＭＡの使用により、システムトラフィックキャパシティが増大し、全体のコール品質とノイズの低減を改良し、データサービストラフィックのための信頼できる搬送機構を提供する。
【０００４】
図１はそのような無線データ通信システム１００の基本エレメントのいくつかを示す簡略化されたブロック図である。当業者は、これらの基本エレメントを、その範囲または機能を限定することなく、その関連するインターフェースとともに変更したり、増加させたり、あるいは公知の規格に従うことができることが容易に理解される。システム１００は移動端末装置、すなわちＴＥ２装置１０２（例えば、ラップトップまたはパームトップコンピュータのような機器）が相互作用機能（ＩＷＦ）１０８と通信することを可能にする。システム１００は無線通信装置、すなわちｍＴ２装置１０４（例えば無線電話）、および基地局／交換局（ＢＳ／ＭＳＣ）１０６を含む。ＩＷＦ１０８は公衆電話交換網と、インターネットまたはイントラネットベースアクセスを供給する有線パケットデータネットワークのような無線ネットワークと他のネットワークとの間のゲートウエイとして機能する。ＬインターフェースはＩＷＦ１０８をＢＳ／ＭＳＣ１０６に接続する。ＩＷＦ１０８とＢＳ／ＭＳＣ１０６とが同じ場所にあることがよくある。ＴＥ２装置１０２はＲｍインターフェースを介してＭＴ２装置１０４と電子的に接続される。ＭＴ２装置１０４は無線インターフェースＵｍを介してＢＳ／ＭＳＣ１０６と通信する。ＴＥ２装置１０２およびＭＴ２装置１０４は単一装置に集積することもできるし、あるいはラップトップがＴＥ２装置１０２であり、受信機がＭＴ２装置１０４である設置された携帯電話の場合のように分離することもできる。図２に示すように、ＴＥ２装置１０２とＭＴ２装置１０４の組合せは、一体であろうと分離されていようと、一般に移動局（ＭＳ）１０３と呼ばれることは注目に値する重要なことである。
【０００５】
データサービストラフィックを提供するためのＣＤＭＡシステムの能力は、参照することによりこの明細書に組み込まれる、１９９８年２月に発行された「広域拡散スペクトルシステムのためのデータサービスオプション：パケットデータサービス」というタイトルのＴＩＡ・ＥＩＡ  ＩＳ−７０７．５において認識されている。この規格は、ＴＩＡ／ＥＩＡ  ＩＳ−９５広域拡散スペクトルシステムに関するパケットデータ送信をサポートするための要件を定義し、一組のパケットデータベアラーサービスを供給する。同様に、参照することによりこの明細書に組み込まれ、ともに１９９９年３月に発行された「拡散スペクトルシステムのためのデータサービスオプション：パケットデータサービス」というタイトルのＴＩＡ／ＥＩＡ  ＩＳ−７０７−Ａ．５および「拡散スペクトルシステムのためのデータサービスオプション：高速パケットデータサービス」というタイトルのＴＩＡ／ＥＩＡ  ＩＳ−７０７−Ａ．９もＴＩＡ／ＥＩＡＩＳ−９５システムに関するパケットデータ送信サポートのための要件を定義する。
【０００６】
これらの規格は、ＢＳ／ＭＳＣ１０６を介してＴＥ２装置１０２とＩＷＦ１０８との間の通信にあるパケットデータサービスオプションを使用することができることを与える。そうすることにより、ＩＳ−７０７．５は２つのプロトコルオプションモデルを導入する。これらのモデルはＲｍインターフェースためのパケットデータプロトコル要件を規定する。図２はプロトコルオプションモデルの一方、すなわちリレーレイヤインタフェースプロトコルオプションモデル２００を示す。このモデルにおいて、ＴＥ２装置１０２上で実行されるアプリケーションはパケットデータサービス並びにネットワークアドレッシングを管理する。
【０００７】
図２の左端は、ＴＥ２装置１０２上で実行されるプロトコルレイヤを描く、一般に垂直フォーマットで示されるプロトコルスタックである。ＴＥ２プロトコルスタックはＲｍインターフェースを介してＭＴ２装置１０４のプロトコルスタックと論理的に接続される。Ｒｍインターフェースは例えば、参照することによりこの明細書に組み込まれ、１９９７年１０月に発行された「データ端末機器とシリアルバイナリデータ置換を使用するデータ回路終端機器との間のインターフェース」というタイトルのＴＩＡ／ＥＩＡ−２３２−Ｆ規格に準拠することができる。当業者に知られている他の規格またはプロトコルをＲｍインターフェースを介した送信を定義するのに使用することができることが理解される。例えば他の適用可能なインターフェース規格は、参照することによりこの明細書に組み込まれる、１９９８年１１月に発行された「ユニバーサルシリアルバス（ＵＳＢ）仕様書、改訂１．１」および１９９９年７月に発行された「ＢＬＵＥＴＯＯＴＨ(登録商標)仕様書バージョン１．０Ａコア」を含む。
【０００８】
実例として、ＴＩＡ／ＥＩＡ−２３２−Ｆ規格がＲｍインターフェースを規定するものとして図２に示される。ＴＩＡ／ＥＩＡ−２３２−Ｆ規格は、物理インターフェース並びに、データ端末機器（ＤＴＥ）（すなわちＴＥ２装置１０２）とデータ回路終端機器（ＤＣＥ）（すなわちＭＴ２装置１０４）との間の比較的低速なシリアルデータ通信のための通信プロトコルの両方を記載する。図３Ａは物理インターフェースを示しＴＩＡ／ＥＩＡ−２３２−Ｆ規格により定義される対応信号をリストアップする。
【０００９】
図３ＢはＴＩＡ／ＥＩＡ−２３２−Ｆ規格により提供される通信プロトコルを簡単に示す。規格に従って、ＴＥ２装置１０２はデータターミナルレディ（ＤＴＲ）信号３２０を発生し、信号３２０はロウステートからハイステートに遷移し、データの送信が準備できたことを示す。同様に、ＭＴ２装置１０４はデータセットレディ（ＤＳＲ）信号３０６を発生し、この信号はロウステートからハイステートに遷移し、データを受信する準備ができたことを示す。ＴＥ２装置１０２リクエストツーセンド（ＲＴＳ）信号３０４とＭＴ２装置１０４クリアツーセンド（ＣＴＳ）信号３０５はＴＥ２装置１０２とＭＴ２装置１０４との間のデータのフローを制御するために使用される。遠隔ＤＣＥ装置（例えばＢＳ／ＭＳＣ１０６における通信機器）とのリンクを確立するために、ＭＴ２装置１０４は信号キャリアをアクティブにする。この信号キャリアがアクティブになることによって、ＭＴ２装置１０４データキャリアデテクト（ＤＣＤ）信号３０８がトリガされ、ロウからハイに遷移し、ＴＥ２装置１０２にデータを交換する準備ができたことを知らせる。ＤＣＤ信号３０８がハイの間、データはそれぞれ送信データ（ＴＸＴ）信号３０２および受信データ（ＲＸＤ）信号３０３により送信され、受信される。ＩＳ−７０７．５リレーレイヤインタフェースプロトコルオプションの中心となるのは、主要なリンクレイヤ接続はＴＥ２装置１０２とＩＷＦ１０８との間で確立されるという概念である。従って、ＭＴ２装置１０４はＵｍインタフェースを介してＴＥ２装置フレームを送信し、Ｒｍインタフェースを介してＩＷＦ１０８フレームを送信するパイプとして振舞う。図２に示すように、リンクＰＰＰの両端のリンクレイヤプロトコルは、参照することによりこの明細書に組み込まれ、１９９２年５月発行の「ポイントツーポイントプロトコル（ＰＰＰ）」というタイトルのコメントのための要件に詳細に記載されるように、リレイレイヤインタフェースプロトコルオプションは、ポイントツーポイントプロトコル（ＰＰＰ）を実行する。本質的に、ＰＰＰプロトコルはデータリンク接続を構成し、テストし、確立する。さらに、ＰＰＰプロトコルはＴＥ２装置１０２のアッパプロトコルレイヤからのパケットを符号化し、送信を容易にするためにパケットを”シリアル化”する。
【００１０】
ＣＤＭＡシステム上のパケットデータサービスをサポートするために、ＩＳ−７０７．５規格は以下のことを規定している。すなわち、ＩＷＦ１０８とＭＳ１０３（すなわちＴＥ２装置１０２とＭＴ２装置１０４の組合せ）は、パケットデータの送信を容易にするために、リレイレイヤインタフェースプロトコルオプションモデルに象徴されるリンクレイヤ接続を用いる。例えば、ＩＷＦ１０８リンクレイヤ２３２はオープンしなければならない。そしてＩＷＦ１０８はＴＥ２装置１０２に行くことになっているパケットデータ呼のためのリンクレイヤコネクションの活性化を要求しなければならない。そのような活性化の要求は、ＢＳ／ＭＳＣ１０６に、パケットデータサービスオプションを有したＭＴ２装置１０４を介してＴＥ２装置１０２に接続するように指示することにより得られる。
【００１１】
一般に、ページメッセージをＭＴ２装置１０４に送信し、パケットデータサービスオプションを要求することによりＢＳ／ＭＳＣ１０６は接続動作を開始する。ＩＳ−９５規格により、ページメッセージングはＭＴ２装置１０４に到来するパケット呼を含む到来呼を知らせるのに使用され、順方向リンクチャネルのオーバヘッドページングチャネルに組み込まれる。ＭＴ２装置１０４が正当なサービスオプション番号を有するページ応答メッセージで返答すると、ＢＳ／ＭＳＣ１０６はＭＴ２装置１０４にトラフィックチャネルを割当てる。ページ応答メッセージは逆方向リンクチャネルのアクセスチャネルを介して送信される。このように言われているので、ＭＴ２装置１０４に到来呼を知らせるために、ページメッセージ以外の方法を他のプロトコルが実行できることが重要である。例えば、ある状況下において、Ｕｍインタフェース上で動作するメッセージプロトコルは、ＭＴ２装置１０４に到来呼を通知する必要なくしてＢＳ／ＭＳＣ１０６にトラフィックチャネルを直接提供することができる。
【００１２】
トラフィックチャネルは、ＢＳ／ＭＳＣ１０６とＴＥ２装置１０２との間のパケットデータの転送を提供し、順方向トラフィックチャネルフレームおよび逆方向トラフィックチャネルフレームの組合せからなる。トラフィックチャネル割当ては最初にＭＴ２装置１０４のためのチャネルをイニシャライズし、次に、パケットデータサービスオプションの接続をＴＥ２装置１０２とネゴシエートし、さらに要求されたサービスオプションについてＴＥ２装置１０２とネゴシエートすることにより確立される。
【００１３】
図４はトラフィックチャネルが割当てられた後のＭＴ２装置１０４とＢＳ／ＭＳＣ１０６との間の一般的な置換を示す高レベルステート図である。割当ての後、ＩＳ−９５規格は、ＢＳ／ＭＳＣ１０６が「情報メッセージ付き警告」を順方向リンク上のＭＴ２装置１０４に送信する。この情報メッセージ付き警告はＢＳ／ＭＳＣ１０２からのシグナリング情報を含み、これはＭＴ２装置が加入者に到来呼を通知することを促進する（例えばおそらく異なるトーンとパターンを用いて鳴らす）。
【００１４】
図４に示すように、情報メッセージ付き警告の受信と処理はＭＴ２装置１０４を”移動局応答サブステート待ち”４１０にする。サブステート４１０に入ると、ＭＴ２装置１０４は最大Ｔ５３ｍ秒のサブステートタイマをセットする。次に、ＭＴ２装置１０４は、ＭＴ２装置１０４により処理されるシグナリング情報（すなわち可聴”リンギング”パターン、スクリーン上のビジュアル”フラッシュ”等）に応答することにより加入者が到来呼に応答するのを待つ。加入者がＴ５３ｍ秒時間内にシグナリングＭＴ２装置１０４に応答するならばＭＴ２装置１０４は”接続命令”をＢＳ／ＭＳＣ１０６に送信する。これにより、ＭＴ２装置１０４は”会話サブステート”４３０になる。次にＭＴ２装置１０４は順方向トラフィックチャネルフレームおよび逆方向トラフィックチャネルフレームを処理することによりＢＳ／ＭＳＣ１０６と通信するために進む。一方、加入者がシグナリングＭＴ２装置１０４に応答しない場合、サブステートタイマが満了し、この結果、ＭＴ２装置１０４を”送信機ディスエーブルサブステート”４２０にする。サブステート４２０において、ＭＴ２装置１０４は送信機をディスエーブルにし、トラフィックチャネルをリリースし、呼を終了する。
【００１５】
上述したように、ＭＴ２装置１０４が”移動局応答サブステート待ち”になると，ＭＴ２装置１０４は”情報メッセージ付き警告”を受け入れ処理しなければならない。一般に音声コールに対してこのメッセージの処理は相対的に自動的であり、ＭＴ２装置を鳴らす。次に、加入者はハンドセットをピックアップするかあるいはあらかじめプログラムされた機能を押すことにより鳴っているＭＴ２装置に応答する。
【００１６】
しかしながら、到来する音声呼と異なって、ＭＴ２装置１０４がどのように到来パケットデータコールに応答するかを規定する明瞭に定義された手続きはない。例えば、加入者に知らせるために、単に鳴らしたり点滅したりするかわりにＭＴ２装置１０４は、パケットデータコールを処理する際に、更なるエレメント、すなわち到来パケットデータ呼の最終目的であるＴＥ２装置１０２を考慮しなければならない。上述したように、ＴＥ２装置１０２はＲｍ（ＥＩＡ−２３２Ｆ）インターフェースを介してＭＴ２装置１０４に電気的に接続されるラップトップあるいはパームトップコンピュータであり得る。従ってＭＴ２装置１０４がＢＳ／ＭＳＣ１０６により送信された情報メッセージ付き警告を受付け処理することができる前に、ＭＴ２装置１０４はＴＥ２装置１０２がレディ状態か、あるいは接続し、パケットデータを交換できるか否かを決定しなければならない。
【００１７】
それゆえ、到来するパケットデータ呼にいつ応答するかを無線通信装置に決定可能にする新規な方法およびシステムが必要とされる。
【発明の概要】
【００１８】
この発明は、無線通信ネットワークにおいて、基地局から発生された到来パケットデータ呼にいつ応答するかを無線通信装置に決定可能にするシステムおよび方法を提供することにより上述した必要性を解決するために努力する。
【００１９】
ここに具現化し広範囲に記載したこの発明の原理に一致するシステムおよび方法は、無線通信ネットワークとインターフェースする通信装置、および通信装置に電気的に接続されパケット化されたデータを送信および受信可能な端末装置を含む。通信装置は、端末装置のレディステートを示す制御信号または制御情報を検出することに応答して基地局から到来するパケット化されたデータコールに応答する。この端末装置レディステートインジケータは高ステートデータ送信レディ信号あるいは、加入者に到来呼を警告するためにリングインジケータ信号がアクティブにされた後にデータ送信レディ信号の低ステートから高ステートへの遷移のような制御信号を含む。レディステートインジケータはまた、端末装置から発生されたデータストリームに埋め込まれたポイントツーポイントプロトコルパケット化データインジケータフラッグのような制御情報、あるいはポイントツーポイントプロトコルパケットが端末装置により送信されたことを示す他の情報を含むことができる。
【００２０】
この明細書に組み込まれこの明細書の一部を構成する添付図面はこの発明の実施形態示し、記載とともにこの発明の目的、利点および原理を説明する。
【図面の簡単な説明】
【００２１】
【図１】図１は、無線通信システムの種々のエレメントを示す高レベルブロック図である。
【図２】図２は、無線通信システムのプロトコルスタックを概略的に示す。
【図３Ａ】図３Ａは、ＴＩＡ／ＥＩＡ−２３２−Ｆプロトコルを示す。
【図３Ｂ】図３Ｂは、ＴＩＡ／ＥＩＡ−２３２−Ｆプロトコルを示す。
【図４】図４は、無線通信装置の動作を示す状態図である。
【図５】図５は、この発明の実施形態を示す状態図である。
【詳細な説明】
【００２２】
この発明の以下の詳細な説明はこの発明に一致する好適実施形態を示す添付図面に言及する。この発明の精神および範囲から逸脱することなく、他の実施形態が可能であり、実施形態に対する種々の変形も可能である。それゆえ、以下の説明はこの発明を限定することを意味するものではない。むしろ、発明の範囲は添付されたクレームにより定義される。
【００２３】
以下に述べるこの発明の実施形態は、図に示す要素（すなわちＴＥ２装置１０２、ＭＴ２装置１０４、ＢＳ／ＭＳＣ１０６およびＩＷＦ１０８）のソフトウエア、ファームウエアおよびハードウエアを含む種々の実現方法で実現可能であることは当業者には明らかである。この発明を実現するために使用される実際のソフトウエアコードあるいは制御ハードウエアはこの発明を限定するものではない。従って、この発明の動作および作用は実際のソフトウエアコードコンポーネントあるいはハードウエアコンポーネントに特に言及されずに記載される。そのような特定の言及が無くても受け入れることができる。何故なら、当業者は、ここの記載に基づいてこの発明の実施形態を実現するためのソフトウエアおよびハードウエアを設計することができることは容易に理解されるからである。
【００２４】
図５はこの発明の実施形態の高レベル状態図である。従って、図５は到来するパケットデータ呼を受付け、処理し、応答するか否かを決定するためのＭＴ２装置１０４の動作を詳述する。
【００２５】
ＭＴ２装置１０４は”アイドルステート”５１０で始まる。この状態において、パケットデータトラフィックを提供するためにＢＳ／ＭＳＣ１０６とＭＴ２装置１０４との間にトラフィックチャネルが確立されない。それゆえ、ＭＴ２装置１０４はいかなるタイプの呼も発生しまたは受信する。
【００２６】
上述したように、ＭＴ２装置１０４はＲｍインターフェースを介してＴＥ２装置１０２に接続される。そして２つの装置間のシグナリングはＴＩＡ／ＥＩＡ−２３２−ＦまたはＵＳＢのような規格に従って得ることができる。これらの規格は、ＴＥ２装置１０２のレディステートを示す制御情報または制御信号を供給する。そのようなＴＥ２装置１０２レディステート制御情報はレディステート情報とともに埋め込まれたＵＳＢパケット並びにＴＩＡ／ＥＩＡ−２３２−Ｆ  ＤＴＲ信号を含む。さらにいくつかの実現法において、ＭＴ２装置１０４はレディステート制御情報を検出するように構成されていた。他の実現法において、ＭＴ２装置１０４はレディステート制御信号を無視するように特に指示されていなかった。（例えばＨａｙｅｓ規格ダイアリングコマンドストリング’ＡＴ＆Ｄ０’はＴＩＡ／ＥＩＡ−２３２−Ｆ  ＤＴＲ信号を無視するために設定されていなかった。）いずれの場合にも、この発明はそのようなレディステート制御情報を利用し、到来するパケットデータコールに応答するためにＭＴ２装置１０４をトリガするためにこの情報を使用する。例えば、ＭＴ２装置１０４が、パケットデータサービスオプションを要求するＢＳ／ＭＳＣ１０６からページメッセージを受信するならば、ＭＴ２装置１０４は、レディステート制御情報／信号を検出すると、到来するパケットデータ呼に自動的に応答するであろう。この自動応答は、ＩＳ−９５手続き（図４参照）に一致する接続命令（ＣＯＮＮＥＣＴ  ＯＲＤＥＲ）をＢＳ／ＭＳＣ１０６に送信することにより実行される。この命令はＭＴ２装置１０４を”呼アクティブステート”５３０にする。
【００２７】
ＭＴ２装置１０４がパケットデータサービスオプションを有したページメッセージを受信し、ＭＴ２装置１０４が関係があるレディステート制御情報／信号（例えばＤＴＲ信号）を検出できない場合、さもなければ”ロウステート”のレディステート制御信号を検出した場合（例えばＴＥ２装置１０２は物理的にＭＴ２装置１０４に接続されていない）、ＭＴ２装置１０４はプロセスページステート５２０に進む。このステートはＩＳ−９５規格に規定されたＭＳ応答サブステート待ち（図４参照）に類似している。
【００２８】
ロウレディステート制御信号は待ち状態のＴＥ２装置１０２の存在を示すことができないので、ステート５２０にあるＭＴ２装置１０４は、到来するパケットデータ呼の存在を示すためにＲｍインターフェースのリングインジケータ信号（ＲＩ）をトグルするであろう。ＲＩトグルは、加入者に到来するパケットデータコールを知らせるために警告信号（例えば、可聴トーン／パターンあるいは可視点滅／メッセージ）をトリガするように構成することができる。ＲＩトグルの後であって、ＭＳ応答サブステート４３０待ちＴ５３ｍタイマーのＴ５３ｍ第２タイムリミット内で、ＭＴ２装置１０４がロウからハイへのレディステート制御信号遷移（すなわちＤＴＲ信号遷移）を検出した場合、あるいはＲｍインターフェース上のＰＰＰパケットを検出した場合、ＭＴ２  １０４は”コールアクティブステート”５３０に進む。
【００２９】
例えば、ＴＥ２装置１０２が以前にＭＴ２  １０４から切り離され、ＲＩトグルにより出力された可聴または可視信号が加入者に２つの装置を再接続するように催促された場合には、レディステート制御信号遷移およびＰＰＰパケットの存在が生じ得る。２つの装置を再接続した後、ＴＥ２装置１０２パケットデータアプリケーションはレディステート制御信号をハイステートに駆動し、そして通常Ｒｍインタフェースネゴシエーションの後ＴＥ２装置１０２はＰＰＰパケットをＭＴ２装置１０４に送信する。ＴＥ２装置１０２から到来する制御信号遷移を検出することにより、ＭＴ２装置１０４は待ち状態のＴＥ２装置１０２が知らされる。さらに、ＭＴ２装置１０４がレディステート制御情報／信号を検出できない場合、あるいはそのような信号を無視するように指示された場合（例えばＤＴＲ信号を無視するためにＡＴコマンドダイアリングストリング’ＡＴ＆Ｄ０’を送信することにより）、ＭＴ２装置１０４は、Ｒｍインターフェース上のバイトストリームを調べ、パケットの開始におけるＰＰＰフラッグ（すなわち０ｘ７Ｅキャラクタ）を探すことにより、依然としてＰＰＰパケットを検出することができる。従って、Ｔ５３ｍタイムリミット内にＭＴ２装置１０４が（１）レディステート制御信号遷移あるいは（２）ＰＰＰパケットフラッグのいずれかを検出した場合、ＭＴ２装置１０４はＩＳ−９５手続きに一致する接続命令をＢＳ／ＭＳＣ１０６に送信することにより到来するパケットデータ呼に応答する（図４参照）。
【００３０】
一方、ＭＴ２装置１０４がＴ５３ｍタイムリミット内にレディステート制御信号あるいはＰＰＰフラッグを検出しない場合にはＭＴ２装置１０４はタイムアウトになりアイドルステート５１０に戻る。上述したように、このステートにおいて、ＭＴ２装置１０４はいかなるタイプの呼も発生または受信することができる。
【００３１】
ＭＴ２装置１０４が接続命令をＢＳ／ＭＳＣ１０６に送ることにより呼に応答するときはＭＴ２装置１０４は呼アクティブステート５３０に入る。このステートは、ＩＳ−９５規格に記載された会話サブステート４３０に類似している。ステート５３０において、ＭＴ２装置１０４は、順方向および逆方向トラフィックチャネルフレームを処理することによりパケットデータトラフィックをＢＳ／ＭＳＣ１０６と交換する。
【００３２】
それゆえ、この実施形態は到来するパケットデータ呼にいつ応答するかをＭＴ２装置１０４が決定するのを可能にするシステムおよび方法を提供する。
【００３３】
この発明の好適実施形態の上述の記載は説明図および記載を提供するが余すところ無く発明を限定したわけでもないし、開示された正確な形に発明を限定したわけでもない。上述した開示に一致する変形が可能であり、あるいはこの発明の実施から取得できる。従ってこの発明の範囲はクレームおよびその均等物により定義される。
【図１】
2011055528.tif 000003
【図２】
2011055528.tif 000004
【図３Ａ】
2011055528.tif 000005
【図３Ｂ】
2011055528.tif 000006
【図４】
2011055528.tif 000007
【図５】
2011055528.tif 000008
【手続補正書】
【提出日】平成22年11月5日(2010.11.5)
【手続補正１】
【補正対象書類名】特許請求の範囲
【補正対象項目名】全文
【補正方法】変更
【補正の内容】
【特許請求の範囲】
【請求項１】
無線通信ネットワークにおいて到来するパケット化されたデータ呼にいつ応答するかを決定するためのシステムであって、
前記無線通信ネットワークとインタフェースするための通信装置と、
前記通信装置に接続され、パケット化されたデータを送信および受信する端末装置と、を具備し、
前記通信装置は前記端末装置により発生されたレディステートインジケータを検出することに応答して前記到来するパケット化されたデータコールに応答する、
前記レディステートインジケータはハイステートデータ送信レディ信号を含み、
前記レディステートインジケータは、加入者に前記到来するパケット化されたデータ呼を警告するために前記通信装置上のリングインジケータ信号がアクティブになった後でデータ送信レディ信号のロウステートからハイステートへの遷移を含む、システム。
【請求項２】
前記レディステートインジケータは前記端末装置から発生されたデータストリームにおけるポイントツーポイントプロトコルパケット化データの送信を示す情報を含む、請求項１のシステム。
【請求項３】
無線通信ネットワークにおいて到来するパケット化されたデータ呼にいつ応答するかを決定するための方法であって、
通信装置を前記無線通信ネットワークにインタフェースすること、
パケット化されたデータを送信および受信することができる端末装置を前記通信装置に接続すること、
前記通信装置によって、前記端末装置により発生されたレディステートインジケータを検出すること、および
前記通信装置によって、前記レディステートインジケータの前記検出に応答して前記到来するパケット化されたデータ呼に応答すること、を具備し、
前記レディステートインジケータはハイステートデータ送信レディ信号を含み、
前記レディステートインジケータは、加入者に前記到来するパケット化されたデータ呼を警告するために前記通信装置上のリングインジケータ信号がアクティブになった後でデータ送信レディ信号のロウステートからハイステートへの遷移を含む、方法。
【請求項４】
前記レディステートインジケータは前記端末装置から発生されたデータストリームにおけるポイントツーポイントプロトコルパケット化データの送信を示す情報を含む、請求項３の方法。
【請求項５】
無線通信ネットワークにおいてパケット化されたデータ呼にいつ応答するかを決定することのできる無線通信装置であって、
前記無線通信ネットワークとインタフェースする手段、
パケット化されたデータを送信および受信することができる端末装置に接続される手段、
前記端末装置によって発生されたレディステートインジケータを検出する手段、および
前記レディステートインジケータの検出に応答して前記到来するパケット化されたデータ呼に応答する手段、を具備し、
前記レディステートインジケータはハイステートデータ送信レディ信号を含み、
前記レディステートインジケータは、加入者に前記到来するパケット化されたデータ呼を警告するために前記通信装置上のリングインジケータ信号がアクティブになった後でデータ送信レディ信号のロウステートからハイステートへの遷移を含む、通信装置。
【請求項６】
前記レディステートインジケータは前記端末装置から発生されたデータストリームにおけるポイントツーポイントプロトコルパケット化データの送信を示す情報を含む、請求項５の通信装置。
【請求項７】
機械読み出し可能な媒体であって、
通信装置を無線通信ネットワークとインタフェース可能にすること、
前記無線装置をパケット化されたデータを送信および受信可能な端末装置と通信可能にすること、
前記端末装置によって発生されたレディステートインジケータを前記通信装置により検出すること、および
前記通信装置により、前記レディステートインジケータの前記検出に応答して到来するパケット化されたデータ呼に応答することを含むプロセスを実行するための複数のプロセッサ実行可能命令を記録され、
前記レディステートインジケータはハイステートデータ送信レディ信号を含み、
前記レディステートインジケータは、加入者に前記到来するパケット化されたデータ呼を警告するために前記通信装置上のリングインジケータ信号がアクティブになった後でデータ送信レディ信号のロウステートからハイステートへの遷移を含む、機械読み出し可能な媒体。
【請求項８】
前記レディステートインジケータは前記端末装置から発生されたデータストリームにおけるポイントツーポイントプロトコルパケット化データの送信を示す情報を含む、請求項７の機械読み出し可能な媒体。
【手続補正２】
【補正対象書類名】明細書
【補正対象項目名】００３３
【補正方法】変更
【補正の内容】
【００３３】
この発明の好適実施形態の上述の記載は説明図および記載を提供するが余すところ無く発明を限定したわけでもないし、開示された正確な形に発明を限定したわけでもない。上述した開示に一致する変形が可能であり、あるいはこの発明の実施から取得できる。従ってこの発明の範囲はクレームおよびその均等物により定義される。
[付記１]  下記手段を具備する、無線通信ネットワークにおいて到来するパケット化されたデータ呼にいつ応答するかを決定するためのシステム：
前記無線通信ネットワークとインタフェースするための通信装置；および
前記通信装置に接続され、パケット化されたデータを送信および受信する端末装置、
前記通信装置は前記端末装置により発生されたレディステートインジケータを検出することに応答して前記到来するパケット化されたデータコールに応答する。
[付記２]  前記レディステートインジケータはハイステートデータ送信レディ信号を含む、付記１のシステム。
[付記３]  前記レディステートインジケータは、加入者に前記到来するパケット化されたデータ呼を警告するために前記通信装置上のリングインジケータ信号がアクティブになった後でデータ送信レディ信号のロウステートからハイステートへの遷移を含む、付記２のシステム。
[付記４]  前記レディステートインジケータは前記端末装置から発生されたデータストリームに、ポイントツーポイントプロトコルパケット化データの送信を示す情報を含む、付記３のシステム。
[付記５]  下記工程を具備する、無線通信ネットワークにおいて到来するパケット化されたデータ呼にいつ応答するかを決定するための方法：
通信装置を前記無線通信ネットワークにインタフェースする；
端末装置を前記通信装置に接続する、前記端末装置はパケット化されたデータを送信および受信することができる；
前記通信装置によって、前記端末装置により発生されたレディステートインジケータを検出する；および
前記通信装置によって、前記レディステートインジケータの検出に応答して前記到来するパケット化されたデータ呼に応答する。
[付記６]  前記レディステートインジケータはハイステートデータ送信レディ信号を含む、付記５の方法。
[付記７]  前記レディステートインジケータは、加入者に前記到来するパケット化されたデータ呼を警告するために前記通信装置上のリングインジケータ信号がアクティブになった後でデータ送信レディ信号のロウステートからハイステートへの遷移を含む、付記６の方法。
[付記８]  前記レディステートインジケータは前記端末装置から発生されたデータストリームに、ポイントツーポイントプロトコルパケット化データの送信を示す情報を含む、付記７の方法。
[付記９]  下記手段を具備する、無線通信ネットワークにおいてパケット化されたデータ呼にいつ応答するかを決定することのできる無線通信装置：
前記無線通信ネットワークとインタフェースする手段；
端末装置に接続される手段、前記端末装置はパケット化されたデータを送信および受信することができる；
前記端末装置によって発生されたレディステートインジケータを検出する手段；および
前記レディステートインジケータの検出に応答して前記到来するパケット化されたデータ呼に応答する手段。
[付記１０]  前記レディステートインジケータはハイステートデータ送信レディ信号を含む、付記９の通信装置。
[付記１１]  前記レディステートインジケータは、加入者に前記到来するパケット化されたデータ呼を警告するために前記通信装置上のリングインジケータ信号がアクティブになった後でデータ送信レディ信号のロウステートからハイステートへの遷移を含む、付記１０の通信装置。
[付記１２]  前記レディステートインジケータは前記端末装置から発生されたデータストリームに、ポイントツーポイントプロトコルパケット化データの送信を示す情報を含む、付記１１の通信装置。
[付記１３]  下記プロセスを実行するためのプロセッサにより実行可能な複数の命令により符号化された機械読み出し可能な媒体：
通信装置を無線通信ネットワークとインタフェース可能にする；
前記無線装置を端末装置と通信可能にする、前記端末装置はパケット化されたデータを送信および受信可能である；
前記通信装置により、前記端末装置により発生されたレディステートインジケータを検出する；および
前記通信装置により、前記レディステートインジケータの前記検出に応答して到来するパケット化されたデータ呼に応答する。
[付記１４]  前記レディステートインジケータはハイステートデータ送信レディ信号を含む、付記１３の機械読み出し可能な媒体。
[付記１５]  前記レディステートインジケータは、加入者に前記到来するパケット化されたデータ呼を警告するために前記通信装置上のリングインジケータ信号がアクティブになった後でデータ送信レディ信号のロウステートからハイステートへの遷移を含む、付記１４の機械読み出し可能な媒体。
[付記１６]  前記レディステートインジケータは前記端末装置から発生されたデータストリームに、ポイントツーポイントプロトコルパケット化データの送信を示す情報を含む、付記１４の機械読み出し可能な媒体。
【外国語明細書】
2011055528000001.pdf